(57)【要約】      （修正有）【課題】補聴器の通信システムを提供する。【解決手段】補聴器２に音声供給装置３の音声信号を受信させるための補聴器の通信システム１であって、音声供給装置がデジタル信号の送信ポート３ａを備える。補聴器の通信システムは、デジタル信号の受信ポート１１と無線伝送モジュール１２と復号化モジュール１３と処理モジュール１４とを含む。デジタル信号の受信ポートは、音声供給装置から音声を受信するために用いられる。無線伝送モジュールは、無線通信ルートを経由して補聴器に接続することができる。処理モジュールは、音声供給装置が音声を供給供しているかどうかを判断するために用いられる。音声供給装置が音声を供給した時、処理モジュールが無線伝送モジュールを制御して補聴器との接続を確立する。処理モジュールは音声供給装置が音声供給を停止したと判断した時、無線伝送モジュールを制御して該補聴器との接続を切る。【選択図】図１
0003204519.tif 000002
【実用新案登録請求の範囲】
【請求項１】
補聴器にデジタル信号の送信ポートを備える音声供給装置の音声信号を受信させるために用いられ、
前記音声供給装置の前記デジタル信号の送信ポートに電気的に接続するために用いられ、前記音声供給装置から音声を受信できるデジタル信号の受信ポートと、
無線通信ルートを経由して前記補聴器に接続することができる無線伝送モジュールと、
前記デジタル信号の受信ポート及び前記無線伝送モジュールに電気的に接続し、前記音声供給装置が前記音声を供給しているかどうかを判断するための処理モジュールと、を含む補聴器の通信システムにおいて、
前記音声供給装置が前記音声を供給した時、前記処理モジュールが前記無線伝送モジュールを制御して前記補聴器との接続を確立し、前記処理モジュールは前記音声供給装置が前記音声の供給を停止したと判断した時、前記無線伝送モジュールを制御して前記補聴器との接続を切ることを特徴とする補聴器の通信システム。
【請求項２】
前記音声供給装置が音声の供給を停止するのは、前記音声供給装置からデジタル音声信号を受信できないことであり、これにより前記処理モジュールが前記無線伝送モジュールを制御して前記補聴器との接続を切ることを特徴とする請求項１に記載の補聴器の通信システム。
【請求項３】
前記音声供給装置が音声の供給を停止するのは、前記音声供給装置がミュートを供給し、且つ一定の時間が経ち、これにより前記処理モジュールが前記無線伝送モジュールを制御して前記補聴器との接続を切ることを特徴とする請求項１又は２に記載の補聴器の通信システム。
【請求項４】
前記補聴器の通信システムは、前記デジタル信号の受信ポートに電気的に接続し、前記音声を非圧縮のデジタル音声信号フォーマットとして復号化するための復号化モジュールを更に含むことを特徴とする請求項１に記載の補聴器の通信システム。
【請求項５】
前記音声供給装置は前記音声を引き続き供給している時、前記処理モジュールが前記無線伝送モジュールを制御して前記補聴器との接続を維持することを特徴とする請求項１に記載の補聴器の通信システム。
【請求項６】
前記無線伝送モジュールは、ブルートゥース通信プロトコルを通じて前記補聴器に接続することを特徴とする請求項１に記載の補聴器の通信システム。
【請求項７】
前記デジタル信号の送信ポート及び該デジタル信号の受信ポートは、Ｓ／ＰＤＩＦポートとすることを特徴とする請求項１に記載の補聴器の通信システム。
【考案の詳細な説明】
【技術分野】
【０００１】
本考案は、補聴器の通信システムに関し、特に、自動的に接続を維持或いは接続を切ることができる補聴器の通信システムに関する。
【背景技術】
【０００２】
科学技術の進歩に伴い、近代社会では身体障害者の補装具も日増しに増え、例えば聴覚障害者の聞き取りを補助する補聴器がある。同時に従来技術においてもすでにブルートゥース通信プロトコルを利用して音声信号の伝送を強化する補聴器が開発され、これを介して聴覚障害者がより一層携帯電話又はテレビ等の装置の音声を直接聞き取ることができる。しかしながら、現在聴覚障害者の聞き取りを補助する補聴器と音声供給装置とが接続を確立してしまうと、終始接続状態を維持し、音声供給装置が音声を発生していなくても補聴器はやはり引き続き音声供給装置と接続してしまう。こうなると、補聴器がやはり音声供給装置からの音声を再生し、つまり音声がなくなり、聴覚障害者にとって不便となっていた。
【０００３】
よって、従来技術の欠陥を解決するため、新しい補聴器の通信システム及びその補聴器通信の方法を考案する必要があった。
【考案の概要】
【考案が解決しようとする課題】
【０００４】
本考案は、自動的に接続を維持或いは接続を切ることのできる効果を有する補聴器の通信システムを提供することを主な目的とする。
【課題を解決するための手段】
【０００５】
上記目的を達成するため、本考案に係る補聴器の通信システムは、補聴器に音声供給装置の音声信号を受信させるために用いられ、音声供給装置がデジタル信号の送信ポートを備える。補聴器の通信システムは、デジタル信号の受信ポートと無線伝送モジュールと復号化モジュールと処理モジュールとを含む。デジタル信号の受信ポートは、音声供給装置のデジタル信号の送信ポートに電気的に接続するために用いられ、音声供給装置から音声を受信できる。無線伝送モジュールは、無線通信ルートを経由して補聴器に接続することができる。処理モジュールは、デジタル信号の受信ポート及び無線伝送モジュールに電気的に接続し、音声供給装置が音声を供給しているかどうかを判断するために用いられる。音声供給装置が音声を供給した時、処理モジュールが無線伝送モジュールを制御して補聴器との接続を確立する。処理モジュールは音声供給装置が音声供給を停止したと判断した時、無線伝送モジュールを制御して該補聴器との接続を切る。
【図面の簡単な説明】
【０００６】
【図１】本考案に係る補聴器の通信システム構成を示す模式図である
【図２】本考案に係る補聴器通信方法のステップフローチャートである。
【考案を実施するための形態】
【０００７】
以下に、本考案の技術内容を審査官に更に理解してもらうため、好ましい実施例を挙げて説明する。
【０００８】
図１を参照すると、本考案に係る補聴器の通信システム構成を示す模式図である。
【０００９】
本考案に係る補聴器の通信システム１は、音声供給装置３に接続し、且つ補聴器２に音声供給装置３の音声信号を受信させることができるために用いられる。補聴器２は、外部の音を受信してから増幅・ろ過した後に聴覚障害者に伝達する。補聴器２の機能が本考案の重点ではないため、ここではその原理を省略する。音声供給装置３は、テレビ、オーディオプレーヤー等とすることができるが、本考案はこれに限るものではない。音声供給装置３は、デジタル信号の送信ポート３ａを備え、デジタル信号方式を通じて音声信号を例えば音響設備などの装置のような他の外部装置に送信できる。
【００１０】
該補聴器の通信システム１は、デジタル信号の受信ポート１１と無線伝送モジュール１２と復号化モジュール１３と処理モジュール１４とを含む。デジタル信号の受信ポート１１は、該音声供給装置３上の対応するデジタル信号の送信ポート３ａに電気的に接続することで、該音声供給装置３から音声を受信する。音声は、デジタル形式で伝達される信号で、音声供給装置３が正常に作動されている状態で、デジタル信号の送信ポート３ａを経由してデジタル音声信号を送り出し続けることができる。デジタル信号の受信ポート１１及び音声供給装置３上のデジタル信号の送信ポート３ａは、いずれもＳ／ＰＤＩＦ（Ｓｏｎｙ／Ｐｈｉｌｉｐｓ  Ｄｉｇｉｔａｌ  Ｉｎｔｅｒｆａｃｅ  Ｆｏｒｍａｔ）ポートとすることができ、本考案は音声供給装置３のオンオフに伴って自動的に接続を確立又は切ることができ、且つ音声供給装置３のベストの出力音量を設定する必要なくでも、好ましい音質も有することができる。ただし、本考案は、Ｓ／ＰＤＩＦ仕様のポートのみが適用されることに限られるものではない。無線伝送モジュール１２は、無線通信機能を備え、無線通信ルートを通じて該補聴器２に接続でき、補聴器２は同じ無線通信機能を有する。本考案の一実施形態において、無線通信ルートは、ブルートゥース通信プロトコルとすることができるが、本考案はこの種の無線通信方式に限られるものではない。
【００１１】
復号化モジュール１３は、復号化チップとすることができ、該デジタル信号の送信ポート１１に電気的に接続し、該コーディング、暗号化或いは圧縮したデジタル音声信号を一般的に通用する非圧縮のデジタル音声信号フォーマットに復号化するために用いられる。復号化技術は、本考案の重点ではないため、ここではその原理を省略し、且つデジタル信号の受信ポート１１は非圧縮のデジタル音声信号フォーマットも直接受信できるため、本考案の音声信号は、復号化モジュール１３の処理を経る必要がない。処理モジュール１４は、該デジタル信号の受信ポート１１及び該無線伝送モジュール１２に電気的に接続し、該音声供給装置３が該音声を供給しているかどうかを判断するために用いられる。該音声供給装置３が該音声を供給している時、該処理モジュール１４は、該無線伝送モジュール１２を制御して該補聴器との接続を確立することで、復号化後の音声信号を該補聴器２に送信する。よって、補聴器２は音声供給装置３が音声を供給すると、音声供給装置３との接続を確立できる。同時に該音声供給装置３が該音声を引き続き供給している状況において、該処理モジュール１４は該無線伝送モジュール１２を制御して該補聴器２との接続を維持し続ける。このほかに、該処理モジュール１４は該音声供給装置３が該音声の供給を停止したと判断した時、該無線伝送モジュール１２を制御して該補聴器２との接続を切る。
【００１２】
本発明の一実施形態において、該処理モジュール１４が音声供給装置３から音声を供給されていないと判断する状態とは、音声供給装置３がミュートを供給していることである。よって音声供給装置３がミュートを供給し、且つ例えば３秒又は１０秒といった一定の時間が経った後、処理モジュール１４が無線伝送モジュール１２を制御して補聴器２との接続を切る。このほかに、本発明の別の実施例において、該処理モジュール１４が音声供給装置３から音声を供給されていないと判断する状態とは、音声供給装置３からデジタル音声信号を受信できていないことを示している。アナログ信号は、音声のミュート区間を区分できないと共にソースに信号が全くないが、デジタル信号が通常先頭及び末尾の信号シンボル或いはパケットシンボルを有する。デジタル信号が通常暗号化又は圧縮を経るため、ミュート区間にも信号がある、且つ若干のデジタル信号送信がクロックの参照を有し、信号がない時、クロック参照信号もない。こうすると、デジタル音声信号で音声供給装置３の作動の有無を判断できる。音声供給装置３が供給したのは、有音のデジタル音声信号或いは一時的な無音（ミュート）のデジタル音声信号を問わず、補聴器２は、接続を維持でき、一時的な無音信号（ミュート）を音声供給装置３の作動停止と見なして安易に接続を切ることがない。音声供給装置３はデジタル音声信号を供給しない時、処理モジュール１４が無線伝送モジュール１２を制御して補聴器２との接続を切る。特に、処理モジュール１４は同時に上記２種類の実施形態を考慮でき、つまり音声供給装置３がデジタル音声信号を供給しない時、又は処理モジュール１４は音声供給装置３がミュートを供給し且つ一定の時間が経ったと確認した後、処理モジュール１４が無線伝送モジュール１２を制御して補聴器２との接続を切る。
【００１３】
特に、補聴器の通信システム１が備える各モジュールは、ハードウェアデバイス、ソフトウェアプログラムをハードウェアデバイスに結合、ファームウェアをハードウェアデバイスに結合する等形態のアーキテクチャからなることができ、例えばコンピュータで読み取ることができる媒体内に保存するアプリケーションソフトウェアであるが、本考案は上記形態に限られるものではない。このほかに、本実施形態はわずか本考案の好ましい実施例のみを例示し、くどくどと繰り返し述べたてるのを避けるため、全ての可能な変化組合せを詳細に記載していない。しかしながら、この分野における通常知識を有する者は、上記各モジュール又は素子が必ず全て必要があるわけはないことを理解すべきである。且つ本考案を実施するため、その他の比較的細部の従来モジュール又は素子も含むことができる。各モジュール又は素子は、ニーズを見て省略或いは変更でき、且ついかなる２つのモジュールの間にその他のモジュール又は素子が存在している。
【００１４】
次に、図２を参照すると、本考案に係る補聴器通信方法のステップフローチャートである。ここでは特に、以下、上記補聴器の通信システムを例として本考案に係る補聴器の通信方法を説明するが、本考案に係る補聴器の通信方法は上記同一構造の補聴器の通信システムに使用することに限られるものではない。
【００１５】
まず該音声供給装置から音声を受信しているかどうかを判断するステップ２０１を行う。
【００１６】
デジタル信号の受信ポート１１は該音声供給装置３上の対応するデジタル信号の送信ポート３ａに電気的に接続し、且つ処理モジュール１４が該音声供給装置３から音声を受信しているかどうかを判断する。
【００１７】
音声供給装置３が音声を供給している時、次に該補聴器との接続を確立するステップ２０２を行う。
【００１８】
次に、該音声供給装置３が該音声を供給している時、該処理モジュール１４は、該無線伝送モジュール１２を制御して該補聴器２との接続を確立する。これを介して補聴器２は、例えばブルートゥースのような通信プロトコルを通じて無線伝送モジュール１２とマッチングし、又は接続を確立して信号を送信する。
【００１９】
更に該信号を該補聴器に送信するステップ２０３を行う。
【００２０】
次に、復号化モジュール１３は、デジタル信号の受信ポート１１が受信したコーディング、暗号化或いは圧縮済みの音声を一般的に通用する非圧縮のデジタル音声信号フォーマットに復号化でき、処理モジュール１４が更にこの音声信号を無線伝送モジュール１２で該補聴器２に送信する。よって、補聴器２は音声供給装置３が音声を供給すると、音声供給装置３との接続を確立できる。且つ本考案の一実施例において、該音声供給装置３が該音声を引き続き供給している状況で、該処理モジュール１４は該無線伝送モジュール１２を制御して該補聴器２との接続を維持し続け、勝手に接続を切ることがない。
【００２１】
そして該音声供給装置が音声の供給を停止したかどうかを判断するステップ２０４を行う。
【００２２】
更に、処理モジュール１４は、該音声供給装置３が音声の供給を停止したかどうかを判断する。その判断方式は、音声供給装置３がミュートを供給し、且つ一定の時間が経った時、或いは音声供給装置３からデジタル音声信号を受信できないと判断する時、音声供給装置３が音声を供給していないことを示すことができる。
【００２３】
最後に、ステップ２０４において処理モジュール１４は、音声供給装置３が音声の供給を停止したと判断した時、該補聴器との接続を切るステップ２０５を行う。
【００２４】
該処理モジュール１４は、該音声供給装置３から該デジタル音声信号を受信できない、或いは音声供給装置３がミュートを供給し、且つ一定の時間が経ったと判断した時、該無線伝送モジュール１２を制御して該補聴器２との接続を切る。最後に、ステップ２０５の後、またステップ２０１に戻って処理モジュール１４に音声供給装置３がデジタル音声信号を供給しているかどうかを判断させることができる。
【００２５】
特に、本考案に係る補聴器の通信方法は、上記ステップの順序に限られるものではなく、本考案の目的を達成できれば、上記ステップの順序も変更できる。
【００２６】
こうすると、聴覚障害者に音声供給装置３の音声を聞き取らせることができ、また補聴器２にいつも接続を維持させることもでき、勝手に無音（ミュート）信号を音声供給装置３の作動停止と見なして安易に接続を切らせない。
【００２７】
このほかに、本実施形態はわずか本考案の好ましい実施例を例示するものであって、実施例に限定されるものではなく、くどいほど繰り返し述べたてるのを避けるため、全ての可能な変化組合せを詳細に記載していない。しかしながら、この分野における通常知識を有する者は、上記各モジュール又は素子が必ず全て必要があるわけはないことを理解すべきである。且つ本考案を実施するため、その他の比較的細部の従来モジュール又は素子も含むことができる。各モジュール又は素子は、ニーズを見て省略或いは変更でき、且ついかなる２つのモジュールの間にその他のモジュール又は素子が存在している。本考案の趣旨から逸脱することなく、本考案が主張する保護範囲に属し、実用新案登録請求の範囲を基準とする。
【符号の説明】
【００２８】
１      補聴器の通信システム
２      補聴器
３      音声供給装置
３ａ    デジタル信号の送信ポート
１１    デジタル信号の受信ポート
１２    無線伝送モジュール
１３    復号化モジュール
１４    処理モジュール
【図１】
0003204519.tif 000003
【図２】
0003204519.tif 000004